(57)【要約】【課題】宝石用原石、色や波長を作用させる物、圧電結晶、ならびに磁石のような鉱物化合物（１４）を有する、天然および／または合成繊維から成る複合繊維（１２）であって、その際この繊維（１０）は、エネルギーを運び、伝えることを目的として、メリディアン、チャクラ系および／または循環系と呼ばれる、縦方向の線における針のつぼのような、人体の部分に配置することができるものである。【解決手段】宝石用原石を天然／合成繊維と結合させる方法には、鉱物化合物を天然／合成繊維と接合させることによって天然／合成繊維の中に鉱物化合物を包み込む方法、または一つまたは複数の鉱物化合物で天然／合成繊維を覆う方法がある。
2005501979.tif 000002
【特許請求の範囲】
【請求項１】
a)  複数の繊維と、
b)  この繊維と一体化した部分を構成する少なくとも一つの鉱物化合物と、
c)  この鉱物化合物を、この繊維に接合させるための粘着剤とを有する鉱物化合物複合繊維材料。
【請求項２】
前記の繊維が、天然繊維であることを特徴とする請求項１に記載の鉱物化合物複合繊維材料。
【請求項３】
前記の繊維が、合成繊維であることを特徴とする請求項１に記載の鉱物化合物複合繊維材料。
【請求項４】
前記の繊維が、天然および合成物質を組み合わせたものから成ることを特徴とする請求項１に記載の鉱物化合物複合繊維材料。
【請求項５】
前記の鉱物化合物が、少なくとも一種類の宝石用原石を有することを特徴とする請求項１に記載の鉱物化合物複合繊維材料。
【請求項６】
前記の鉱物化合物が、磁石であることを特徴とする請求項１に記載の鉱物化合物複合繊維材料。
【請求項７】
前記の鉱物化合物が、圧電結晶を有することを特徴とする請求項１に記載の鉱物化合物複合繊維材料。
【請求項８】
前記の鉱物化合物が、切子面を刻まれた石に処理されたものであることを特徴とする請求項１に記載の鉱物化合物複合繊維材料。
【請求項９】
前記の鉱物化合物が、粉砕された石に処理されたものであることを特徴とする請求項１に記載の鉱物化合物複合繊維材料。
【請求項１０】
前記の鉱物化合物が、粉末に処理されたものであることを特徴とする請求項１に記載の鉱物化合物複合繊維材料。
【請求項１１】
前記の粘着剤が、押出し成形可能な物質であることを特徴とする請求項１に記載の鉱物化合物複合繊維材料。
【請求項１２】
少なくとも一つの処理された鉱物化合物が、前記の押出し成形可能な物質と結合され、そして前記の繊維内に編み込まれて、鉱物化合物を包み込んだ繊維を構成することを特徴とする請求項１１に記載の鉱物化合物複合繊維材料。
【請求項１３】
前記の粘着剤が、樹脂であることを特徴とする請求項１に記載の鉱物化合物複合繊維材料。
【請求項１４】
編み込まれた繊維が、前記の樹脂内に浸されて、その次に少なくとも一つの処理された鉱物化合物を適用され、そうすることによって鉱物化合物の層で覆われた繊維を構成することを特徴とする請求項１３に記載の鉱物化合物複合繊維材料。
【請求項１５】
前記の粘着剤が、粘着性の溶液であることを特徴とする請求項１に記載の鉱物化合物複合繊維材料。
【請求項１６】
前記の粘着性の溶液が、少なくとも一つの処理された鉱物化合物と混合され、そして前記の編み込まれた繊維に適用されて、一つ以上の鉱物化合物を散在させた繊維を構成することを特徴とする請求項１５に記載の鉱物化合物複合繊維材料。
【請求項１７】
この鉱物化合物複合繊維材料が、治療用衣料を製造するために使用されるとともに、この鉱物化合物を作用させようとしている使用者の身体部分に近接して一体化されることを特徴とする請求項１に記載の鉱物化合物複合繊維材料。
【請求項１８】
この鉱物化合物複合繊維材料が、この中の特定の鉱物化合物または結合物を、この鉱物化合物の色や波長を作用させようとしている使用者の相応のメリディアンおよびチャクラに近接させる形で、治療用衣料に一体化されることを特徴とする請求項１７に記載の鉱物化合物複合繊維材料。
【請求項１９】
この鉱物化合物複合繊維材料が、治療用家具を製造するために使用されるとともに、この鉱物化合物を作用させようとしている使用者の身体部分に近接して一体化されることを特徴とする請求項１に記載の鉱物化合物複合繊維材料。
【請求項２０】
この鉱物化合物複合繊維材料が、この中の特定の鉱物化合物または結合物を、この鉱物化合物の色や波長を作用させようとしている相応のメリディアンおよびチャクラに近接させる形で、治療用家具に一体化されることを特徴とする請求項１９に記載の鉱物化合物複合繊維材料。
【請求項２１】
a)  天然または合成繊維を選定することと、
b)  一つ以上の鉱物化合物を選定することと、
c)  この鉱物化合物を、切子面を刻まれた石、粉砕された石、または粉末に処理することと、
d)  粘着剤とこの鉱物化合物を混合し、そうすることによって押出し成形可能な物質を作ることと、
e)  この押出し成形可能な物質を、この繊維内に包み込んで、鉱物化合物を包み込んだ繊維を製作することとを有する鉱物化合物複合繊維材料の製造方法。
【請求項２２】
a)  天然または合成繊維を選定することと、
b)  一つ以上の鉱物化合物を選定することと、
c)  この鉱物化合物を、切子面を刻まれた石、粉砕された石、または粉末に処理することと、
d)  粘着剤とこの鉱物化合物を混合して、樹脂溶液を作ることと、
e)  この樹脂溶液を、この繊維に適用して、撚り合わされた繊維の芯を持つ複合繊維を製作することとを有する鉱物化合物複合繊維材料の製造方法。
【請求項２３】
a)  天然または合成繊維を選定することと、
b)  一つ以上の鉱物化合物を選定することと、
c)  この鉱物化合物を、切子面を刻まれた石、粉砕された石、または粉末に処理することと、
d)  粘着剤とこの鉱物化合物を混合し、そうすることによって粘着性の溶液を作ることと、
e)  この粘着性の溶液内に、この繊維を浸して、一つ以上の鉱物化合物を散在させた、撚り合わされた複合繊維を製作することとを有する鉱物化合物複合繊維材料の製造方法。
【発明の詳細な説明】
【技術分野】
【０００１】
この発明は、全体的には複合的な撚糸に関し、より詳細には、宝石用原石、色や波長を作用させる物、圧電結晶、ならびに磁石のような鉱物化合物を、繊維または布地に染み込ませることに関し、その際これらの繊維は、振動性のエネルギー反応を伝えることを目的として、メリディアン（meridian）およびチャクラ（chakra）と呼ばれる、人体の縦方向の線における針のつぼに対して配置することができるものである。
【発明の開示】
【発明が解決しようとする課題】
【０００２】
この発明の主要な課題は、人が用いる衣類や家具を作るために使用することができる繊維を提供することである。
【０００３】
この発明の別の課題は、前記の材料と一体化した部分を構成する、鉱物化合物、宝石用原石、および／または磁石を有する、綿、羊毛、絹、または人造繊維のような繊維を提供することである。
【０００４】
この発明のさらに別の課題は、メリディアンおよび／またはチャクラ系と呼ばれる、縦方向の線における針のつぼのような人体の部分に、磁石、宝石用原石、色や波長を作用させる物、および／または圧電結晶を配置するために用いることができる繊維を提供することである。
【０００５】
この発明のさらに別の課題は、切子面を刻まれた、粉砕された、および／または粉末にされたシリカの水晶結晶を含む複合繊維を提供することである。
【０００６】
この発明の別の課題は、前記の結晶材料を天然繊維で包み込んだ複合繊維を提供することである。
【０００７】
この発明のさらに別の課題は、鉱物化合物で天然および／または合成繊維の周りの外皮を形成した複合繊維を提供することである。
【０００８】
この発明のさらに別の課題は、鉱物化合物を天然および／または合成繊維内に散在させて、これと一体化した部分を構成するようにした複合繊維を提供することである。
【０００９】
この発明のその他の課題は、この記述を進むにつれて明らかとなる。
【発明を実施するための最良の形態】
【００１０】
ここに、この発明が、より十分に理解されるようにするために、例示することを目的として、図面を参照して、この発明について記述する。
【００１１】
ここでは、記述の中で図面を参照し、そこでは、いくつか有る図面を通して、同じ図形は、同じ要素を示している。使用する符号に関して、いくつか有る図面を通して、符号の説明にある符号を用いている。
【００１２】
図１は、繊維に包み込まれた鉱物化合物１８の形の鉱物化合物複合繊維材料１０を示しており、これは、綿、羊毛、絹、麻、黄麻、動物の柔毛または合成繊維のような、天然または合成繊維１２の中に、圧電結晶、宝石用原石、色や波長を作用させる物、および／または磁石のような鉱物化合物１４を包み込んだものである。この織り糸は、外側の繊維による外面的な手触りと外見を持つ一方、含有する鉱物の特性を包み込んだものである。この織り糸は、流行の服または内装／外観の装飾に用いられる織物または編物用の糸の中に使うことができる。
【００１３】
図２は、鉱物化合物の層で覆われた繊維２２の形の鉱物化合物複合繊維材料１０を示しており、これは、圧電結晶、宝石用原石、色や波長を作用させる物、および／または磁石のような鉱物化合物１４の中に、綿、羊毛、絹、麻、黄麻、動物の柔毛または合成繊維のような、天然または合成繊維１２を包み込んで製造したものである。この鉱物化合物の層で覆われた繊維２２は、内側の繊維１２の柔軟性を持つ一方、鉱物化合物１４の外見を有する。
【００１４】
図３は、繊維１２の間に分散した鉱物化合物２６を散在させた複合繊維の形の鉱物化合物複合繊維材料１０を示している。処理済みの鉱物化合物１４を粘着剤１６と混合させて、スラリーを形成し、このスラリーを繊維１２に適用するか、あるいは繊維１２をこのスラリーの中に浸したものである。
【００１５】
図４は、鉱物化合物を包み込んだ繊維１８を製作するための製造工程の流れ図である。この繊維１２は、鉱物化合物１４を包み込むために用いられ、この鉱物化合物は、粘着剤１６と結合されて、鉱物化合物の芯１９を成す、押出し成形可能な混合物２０を形成するものである。
【００１６】
図５は、鉱物化合物の層で覆われた繊維２２を製作するための製造工程の流れ図である。鉱物化合物１４は、粘着剤１６と結合されて、樹脂２３を形成し、その次に、この樹脂が、繊維１２に適用されて、繊維の芯２４を構成するものである。この樹脂２３は、多くの人に治療効果があると信じられている磁性粒子および／または圧電結晶を含有することができる。
【００１７】
図６は、一つ以上の鉱物化合物を散在させた複合繊維を製作するための製造工程の流れ図であり、その際鉱物化合物１４は、粘着剤１６と結合されて、スラリーを形成し、このスラリーを繊維１２に適用するか、あるいは繊維１２を溶液中に通してから直ぐに、一定量の鉱物化合物１４を繊維１２と接合させるものである。このスラリーは、治療効果があると信じられている磁性粒子および／または圧電結晶を含有することができる。
【図面の簡単な説明】
【００１８】
【図１】この発明の鉱物化合物を包み込んだ繊維の断面図
【図２】この発明の層で覆われた繊維の断面図
【図３】この発明の混合された繊維の断面図
【図４】鉱物化合物の芯を有する複合繊維を製作するための製造工程の流れ図
【図５】天然／合成繊維の芯を有する複合繊維を製作するための製造工程の流れ図
【図６】鉱物化合物と天然／合成繊維から成る一体化した部分を有する複合繊維を製作するための製造工程の流れ図
【符号の説明】
【００１９】
１０    鉱物化合物複合繊維材料
１２    繊維
１４    鉱物化合物
１６    粘着剤
１８    繊維に包み込まれた鉱物化合物
１９    鉱物化合物の芯
２０    押出し成形混合物
２２    鉱物化合物の層で覆われた繊維
２３    樹脂
２４    繊維の芯
２６    鉱物化合物を散在させた複合繊維
【図４】
2005501979.tif 000003
【図５】
2005501979.tif 000004
【図６】
2005501979.tif 000005
【国際公開パンフレット】
2005501979.tif 000006
2005501979.tif 000007
2005501979.tif 000008
2005501979.tif 000009
2005501979.tif 000010
2005501979.tif 000011
2005501979.tif 000012
2005501979.tif 000013
2005501979.tif 000014
2005501979.tif 000015
2005501979.tif 000016
2005501979.tif 000017
2005501979.tif 000018
2005501979.tif 000019
2005501979.tif 000020
2005501979.tif 000021
2005501979.tif 000022
2005501979.tif 000023
【国際調査報告】
2005501979.tif 000024